【事件の表示】
　特願２０１８−２９６６９号「遊技台」拒絶査定不服審判事件〔平成３０年６月７日出願公開、特開２０１８−８６４０４号〕について、次のとおり審決する。
【結　論】
　本件審判の請求は、成り立たない。
【理　由】
第１　手続の経緯の概要
　本願は、平成２５年１０月４日に出願した特願２０１３−２０９２８６号の一部を平成２８年２月２日に新たな特許出願（特願２０１６−１７８９８号）とし、さらにその一部を平成３０年２月２２日に新たな特許出願（特願２０１８−２９６６９号）としたものであって、同年１１月２２日付けで拒絶の理由が通知され、平成３１年１月２３日に意見書及び手続補正書が提出されたところ、令和１年６月１１日付け（送達日：同年６月１８日）で拒絶査定（以下「原査定」という。）がなされ、それに対して同年９月５日に拒絶査定不服審判の請求がなされると同時に手続補正がなされたものである。
　
第２　令和１年９月５日にされた手続補正についての補正の却下の決定
［補正の却下の決定の結論］
　令和１年９月５日にされた手続補正（以下「本件補正」という。）を却下する。
　
［理由］
　１　補正の内容
　本件補正は、特許請求の範囲の請求項１〜６を補正する内容を含むものであり、そのうちの請求項１について、平成３１年１月２３日付け手続補正書の特許請求の範囲の請求項１における
「表示手段と、
　操作手段と、
を備えた遊技台であって、
　前記表示手段は、複数種類の表示を表示可能な手段であり、
　前記表示手段は、複数の表示領域を有する手段であり、
　前記複数の表示領域のうちの一の領域（以下、「第一の表示領域」という。）は、前記複数種類の表示のうちの一の表示（以下、「第一の表示」という。）を表示可能であり、
　前記複数の表示領域のうちの一の領域（以下、「第二の表示領域」という。）は、前記複数種類の表示のうちの一の表示（以下、「第二の表示」という。）を表示可能であり、
　前記複数の表示領域のうちの一の領域（以下、「第三の表示領域」という。）は、前記複数種類の表示のうちの一の表示（以下、「第三の表示」という。）を表示可能であり、
　前記第一の表示は、皿満タンエラー表示であり、
　前記第二の表示は、第一の予告表示であり、
　前記第三の表示は、第二の予告表示であり、
　前記第一の表示領域は、前記第三の表示領域と重ならない領域であり、
　前記第一の表示領域の少なくとも一部の領域は、前記第二の表示領域の少なくとも一部の領域と重なる領域であり、
　前記第一の予告表示は、前記操作手段への操作があった場合に表示開始可能な表示である、
ことを特徴とする遊技台。」は、
　
　審判請求時に提出された手続補正書（令和１年９月５日付け）の特許請求の範囲の請求項１における
「表示手段と、
　操作手段と、
　
可動手段と、
を備えた遊技台であって、
　前記表示手段は、複数種類の表示を表示可能な手段であり、
　前記表示手段は、複数の表示領域を有する手段であり、
　前記複数の表示領域のうちの一の領域（以下、「第一の表示領域」という。）は、前記複数種類の表示のうちの一の表示（以下、「第一の表示」という。）を表示可能であり、
　前記複数の表示領域のうちの一の領域（以下、「第二の表示領域」という。）は、前記複数種類の表示のうちの一の表示（以下、「第二の表示」という。）を表示可能であり、
　前記複数の表示領域のうちの一の領域（以下、「第三の表示領域」という。）は、前記複数種類の表示のうちの一の表示（以下、「第三の表示」という。）を表示可能であり、
　前記第一の表示は、皿満タンエラー表示であり、
　前記第二の表示は、第一の予告表示であり、
　前記第三の表示は、第二の予告表示であり、
　前記第一の表示領域は、前記第三の表示領域と重ならない領域であり、
　前記第一の表示領域の少なくとも一部の領域は、前記第二の表示領域の少なくとも一部の領域と重なる領域であり、
　前記第一の予告表示は、前記操作手段への操作があった場合に表示開始可能な表示であ
り、
　
前記可動手段は、前記第一の表示の少なくとも一部にオーバーラップする位置に移動可能な手段である、
ことを特徴とする遊技台。」に補正された（下線は、補正箇所を明示するために当審判合議体にて付した。）。
　
　２　補正の適否
　２−１　補正の目的及び新規事項について
　本件補正は、補正前の請求項１について、「
可動手段
前記可動手段は、前記第一の表示の少なくとも一部にオーバーラップする位置に移動可能な手段である
　そして、補正後の請求項１に係る発明は、補正前の請求項１に係る発明と、産業上の利用分野及び解決しようとする課題が同一であるから、本件補正に係る特許請求の範囲の請求項１についてする補正は、特許法第１７条の２第５項第２号に規定する「特許請求の範囲の減縮」を目的とする補正に該当する。
　また、本件補正は、願書に最初に添付した明細書の【２０５３】、【２０８５】、【２４８３】等の記載、および、【図２３３】（ｅ）、（ｆ）の図示内容からみて、新規事項を追加するものではないから、特許法第１７条の２第３項に規定する要件を満たす。
　
　２−２　独立特許要件について
　そこで、本件補正後の請求項１に係る発明（以下「本件補正発明」という。）が特許出願の際に独立して特許を受けることができるものであるか否か、すなわち、特許法第１７条の２第６項において準用する同法第１２６条第７項の規定に適合するか否かについて、以下に検討する。
　
　（１）本件補正発明
　本件補正発明は、次のとおりのものであると認める（記号Ａ〜Ｍは、分説するため審決にて付した。）。
「Ａ　表示手段と、
　Ｂ　操作手段と、
　Ｃ　可動手段と、
を備えた遊技台であって、
　Ｄ　前記表示手段は、複数種類の表示を表示可能な手段であり、
　Ｅ　前記表示手段は、複数の表示領域を有する手段であり、
　Ｆ１　前記複数の表示領域のうちの一の領域（以下、「第一の表示領域」という。）は、前記複数種類の表示のうちの一の表示（以下、「第一の表示」という。）を表示可能であり、
　Ｇ１　前記複数の表示領域のうちの一の領域（以下、「第二の表示領域」という。）は、前記複数種類の表示のうちの一の表示（以下、「第二の表示」という。）を表示可能であり、
　Ｈ１　前記複数の表示領域のうちの一の領域（以下、「第三の表示領域」という。）は、前記複数種類の表示のうちの一の表示（以下、「第三の表示」という。）を表示可能であり、
　Ｆ２　前記第一の表示は、皿満タンエラー表示であり、
　Ｇ２　前記第二の表示は、第一の予告表示であり、
　Ｈ２　前記第三の表示は、第二の予告表示であり、
　Ｉ　前記第一の表示領域は、前記第三の表示領域と重ならない領域であり、
　Ｊ　前記第一の表示領域の少なくとも一部の領域は、前記第二の表示領域の少なくとも一部の領域と重なる領域であり、
　Ｋ　前記第一の予告表示は、前記操作手段への操作があった場合に表示開始可能な表示であり、
　Ｌ　前記可動手段は、前記第一の表示の少なくとも一部にオーバーラップする位置に移動可能な手段である
　Ｍ　ことを特徴とする遊技台。」
　
　（２）引用文献
　原査定の拒絶の理由に引用された、本願の遡及日前に頒布された刊行物である特開２０１２−２０５７０３号公報（以下「引用文献１」という。）には、遊技機に関して、図面と共に以下の事項が記載されている（下線は審決にて付した。以下同じ。）。
　
　　　ア　記載事項
　　　（ア）「【発明が解決しようとする課題】
・・・
【０００６】
　本願発明は上記課題に鑑みたもので、
エラー報知による演出効果の低減防止を図る遊技機を提供することを目的とする。
　
　　　（イ）「【００１１】
　図１は、ぱちんこ遊技機の前面側における基本的な構造を示す。以下、弾球遊技機として従来にいういわゆる第１種ぱちんこ遊技機を例に説明する。
ぱちんこ遊技機１０
・・・
【００１３】
　遊技盤５０は、外レール５４と内レール５６により区画された遊技領域５２上に、アウト口５８、特別図柄表示装置６１、
演出表示装置６０
・・・
【００１７】
　遊技領域５２の左方に設けられた特別図柄表示装置６１および遊技領域５２の略中央に設けられた
演出表示装置６０は、
装飾図柄１９０を含む演出画像の変動を表示する。
・・・
【００１９】
　演出表示装置６０は、特別図柄１９２の変動表示と連動する形で装飾図柄１９０を変動表示する液晶ディスプレイで構成される表示装置である。装飾図柄１９０は、特別図柄１９２で示される抽選の結果表示を視覚的に演出するための図柄である。
演出表示装置６０は、装飾図柄１９０
を変動させる動画像を画面の中央領域に表示する。
・・・
【００２５】
　演出表示装置６０の上方および下方には、それぞれ遊技効果ランプ９０が設けられている。
操作ボタン８２は、
その操作入力の内容に応じて演出内容等に変化が加えられる。
可動役物１４０
可動役物１４０は、遊技者による操作ボタン８２を介した操作入力に応じて動作する。
・・・
【００２７】
　遊技球が始動口６２に落入すると、特別図柄表示装置６１および演出表示装置６０において特別図柄１９２および装飾図柄１９０が変動表示される。特別図柄１９２および装飾図柄１９０の変動表示は、表示に先だって決定された変動表示時間の経過後に停止される。特別図柄１９２は、その変動開始から停止までの変動態様が定められた変動パターンにしたがって変動表示される。
装飾図柄１９０は、その変動開始から停止までの変動態様が定められた変動演出パターンにしたがって変動表示される。
・・・
【００３６】
　エラー信号を受け取った内部の制御装置は、エラーに対処するための種々の制御を実行する。例えば、遊技球の発射を一時的に停止させたり、各入球口の開閉や賞球を停止させたりといった制御である。また、演出表示装置６０の画面にエラーが発生した旨を示す文字列や絵などを用いてエラー報知するとともに、エラーの発生を示す音声によるエラー報知や、遊技効果ランプ９０などの電飾品を点灯させることによる
エラー報知を実行する。このとき、演出表示装置６０の画面表示や音声出力、遊技効果ランプ９０の点灯を用いた演出が通常どおり実行されているが、そうした演出に優先してエラー報知がなされる。
　
　　　（ウ）「【００５５】
　図３に戻り、変動パターン決定手段１１５は、
当否抽選の結果に応じて複数種の変動パターンからいずれかの変動パターンを選択する。
・・・
【００６１】
　第１欄２１２には、保留制御手段１１６による当否抽選の結果保留数が１の場合のパターン抽選値範囲と変動パターンとの対応関係が示される。同様に、第２欄２１４、第３欄２１６、第４欄２１８に、保留制御手段１１６による当否抽選の結果保留数がそれぞれ２、３、４の場合のパターン抽選値範囲と変動パターンとの対応関係が示される。すなわち、第１欄２１２、第２欄２１４、第３欄２１６、第４欄２１８が保留数ごとの変動パターンテーブルを示すと考えることができる。本図では、外れのときに選択され得る複数の
変動パターンを変動時間別に５種類に分類した例を説明するが、実際にはそれらの分類ごとに複数の変動演出パターンが用意されており、
　
　　　（エ）「【００８０】
　演出決定手段１３２は、当否抽選の結果に応じて
演出表示装置６０に予告演出を表示させる
・・・
【００８４】
　演出表示制御手段１３４は、予告演出を表示させる旨が演出決定手段１３２により決定された場合、選択された予告演出パターンにしたがった予告演出を図柄変動の演出に重畳させる形で演出表示装置６０へ表示させ、スピーカ１８から音声を出力させる。
予告演出パターンによっては、可動役物１４０を動作させたり、遊技効果ランプ９０を点滅させたりする。
・・・
【００８７】
　
エラー報知手段１３８は、
エラー信号を受け取った場合に不具合が発生した旨を、演出表示装置６０への画面表示、スピーカ１８からの音声出力、遊技効果ランプ９０の点灯のうち少なくともいずれかによりエラー報知として出力する。このとき、演出表示装置６０への画面表示、スピーカ１８からの音声出力、遊技効果ランプ９０の点灯のうち少なくともいずれかを用いた演出が実行されていたとしても、その演出に優先してエラー報知を実行する。
【００８８】
　エラー報知の方法は、エラー信号に示されるエラーの種類によって異なる。例えば、
球詰まりエラーの場合、遊技者が上球皿１５または下球皿１６から遊技球を除去して所定量未満へ減らすまではエラーを解除できない
【００８９】
　
図９は、演出表示装置６０の画面に表示させるエラー報知の例を模式的に示す図である。演出表示装置６０の画面表示を用いたエラー報知としては、本図のエラー表示２６０のように「！！球詰まりエラー！！  球皿を確認してください。」といった文字列を画面に表示する
このとき、画面では装飾図柄１９０が右下に小さく変動表示されているとともに、画面中央に予告表示２６２として「敵は○○○○○だ」といったセリフ予告演出が表示されていた場合
エラー表示２６０は、予告表示２６２より優先して表示されるため、
予告表示２６２の一部がエラー表示２６０に覆われて隠れる形となる。
　
　　　（オ）
【図９】　
　
                   
　　　イ　認定事項
　　　（ア）引用文献１には、【００８９】に「図９は、演出表示装置６０の画面に表示させるエラー報知の例を模式的に示す図である。演出表示装置６０の画面表示を用いたエラー報知としては、本図のエラー表示２６０のように「！！球詰まりエラー！！　球皿を確認してください。」といった文字列を画面に表示する・・・このとき、画面では装飾図柄１９０が右下に小さく変動表示されているとともに、画面中央に予告表示２６２として「敵は○○○○○だ」といったセリフ予告演出が表示されていた場合を想定する。エラー表示２６０は、予告表示２６２より優先して表示されるため、・・・予告表示２６２の一部がエラー表示２６０に覆われて隠れる形となる。」ことが記載されている。
　そして、【図９】には、中央画面に表示されるエラー表示２６０と、右下画面に小さく変動表示される装飾図柄１９０とが重ならないで表示されることが図示されている。
　したがって、引用文献１には、
球詰まりエラーが発生した場合、画面中央に表示されるエラー表示２６０は、画面右下に小さく変動表示される装飾図柄１９０とは重ならない
　
　　　ウ　上記アの記載事項、及び、上記イの認定事項を総合すると、引用文献１には次の発明（以下「引用発明」という。）が記載されていると認められる（ａ〜ｍは、本件補正発明のＡ〜Ｍに対応させて当審判合議体にて付した。）。
「ａ　演出表示装置６０（【００１３】）と、
　ｂ　操作ボタン８２（【００２５】）と、
　ｃ　可動役物１４０（【００２５】）と
を備えたぱちんこ遊技機１０（【００１１】）であって、
　ｄ　演出表示装置６０は、装飾図柄１９０を含む演出画像の変動や、セリフ予告演出としての予告表示２６２や、エラー報知としてのエラー表示２６０を表示し（【００１７】、【００８０】、【００８９】）、
　ｅ　演出表示装置６０は、装飾図柄１９０を変動させる動画像や、エラー表示２６０や、セリフ予告演出としての予告表示２６２が表示される画面中央と、装飾図柄１９０を小さく変動表示される画面右下（【００１９】、【００８９】）とを有し、
　ｆ１、ｆ２　球詰まりエラーの場合、エラー表示２６０として、画面中央に「！！球詰まりエラー！！　球皿を確認してください。」といった文字列を表示可能であり（【００８８】、【００８９】）、
　ｇ１、ｇ２　予告表示２６２として、画面中央に「敵は○○○○○だ」といったセリフ予告演出を表示可能であり（【００８９】）、
　ｈ１、ｈ２　画面中央に予告表示２６２として「敵は○○○○○だ」といったセリフ予告演出が表示されるとともに、装飾図柄１９０を画面右下に小さく変動表示可能であり（【００８９】）、
　当否抽選の結果に応じて複数種の変動パターンからいずれかの変動パターンが選択され、変動時間別に分類された１つの変動パターンには、複数の変動演出パターンが用意され（【００５５】、【００６１】）、
　装飾図柄１９０は、その変動開始から停止までの変動態様が定められた変動演出パターンにしたがって変動表示され（【００２７】）、
　ｉ　球詰まりエラーが発生した場合、画面中央に表示されるエラー表示２６０は、画面右下に小さく変動表示される装飾図柄１９０とは重ならず（認定事項（ア））、
　ｊ　セリフ予告演出が表示されていた場合に球詰まりエラーが発生した場合、画面中央に表示されるエラー表示２６０と予告表示２６２とは、予告表示２６２の一部がエラー表示２６０に覆われて隠れる形で表示され（【００８９】）、
　ｋ’操作ボタン８２の操作入力の内容に応じて演出内容等に変化が加えられ（【００２５】）、
　ｌ’可動役物１４０は、遊技者による操作ボタン８２を介した操作入力に応じて動作し（【００２５】）、
　予告演出パターンによっては、可動役物１４０を動作させたり、遊技効果ランプ９０を点滅させたりし（【００８４】）、
　エラー信号を受け取った場合に不具合が発生した旨を、演出表示装置６０への画面表示、スピーカ１８からの音声出力、遊技効果ランプ９０の点灯のうち少なくともいずれかによりエラー報知として出力するエラー報知手段１３８を備え、エラー報知手段１３８がエラー報知を行うとき、演出表示装置６０の画面表示や音声出力、遊技効果ランプ９０の点灯を用いた演出が通常どおり行われているが、演出表示装置６０への画面表示、スピーカ１８からの音声出力、遊技効果ランプ９０の点灯のうち少なくともいずれかを用いた演出が実行されていたとしても、その演出に優先してエラー報知を行い（【００３６】、【００８７】）、　
　球詰まりエラーの場合、遊技者が上球皿１５または下球皿１６から遊技球を除去して所定量未満へ減らすまではエラーを解除できず（【００８８】）、
　エラー表示２６０は、予告表示２６２より優先して表示される（【００８９】）、
　ｍ　ぱちんこ遊技機１０。」
　
　（３）対比
　本件補正発明と引用発明とを、分説に従い対比する。
　　（ａ）、（ｂ）、（ｃ）、（ｍ）
　引用発明における構成ａの「演出表示装置６０」は、本件補正発明における構成Ａの「表示手段」に相当する。
　そして、引用発明における構成ｂの「操作ボタン８２」は、本件補正発明における構成Ｂの「操作手段」に相当する。
　また、引用発明における構成ｃの「可動役物１４０」は、本件補正発明における構成Ｃの「可動手段」に相当する。
　さらに、引用発明における構成ｃ、ｍの「ぱちんこ遊技機１０」は、本件補正発明における構成Ｃ、Ｍの「遊技台」に相当する。
　したがって、引用発明の構成ａ〜ｃ、ｍの「演出表示装置６０と、操作ボタン８２と、可動役物１４０とを備えた」「ぱちんこ遊技機１０」は、本件補正発明における構成Ａ〜Ｃ、Ｍの「表示手段と、操作手段と、可動手段と、を備えた」「遊技台」に相当する。
　　（ｄ）
　引用発明における「装飾図柄１９０を含む演出画像の変動や、セリフ予告演出としての予告表示２６２や、エラー報知としてのエラー表示２６０」は、本件補正発明における「複数種類の表示」に相当する。
　したがって、引用発明における構成ｄの「演出表示装置６０は、装飾図柄１９０を含む演出画像の変動や、セリフ予告演出としての予告表示２６２や、エラー報知としてのエラー表示２６０を表示」することは、本件補正発明における構成Ｄの「表示手段は、複数種類の表示を表示可能な手段であ」ることに相当する。
　　（ｅ）
　引用発明の「演出表示装置６０」は、「画面中央」領域と「画面右下」領域からなる複数の表示領域を有するものである。
　そうすると、引用発明における構成ｅの「画面中央」と「画面右下」を含む「演出表示装置６０」は、本件補正発明における構成Ｅの「複数の表示領域を有する手段であ」る「表示手段」に相当する。
　　（ｆ１、ｆ２）
　引用発明の「画面中央」は、本件補正発明の「複数の表示領域のうちの一の領域（「第一の表示領域」）」に相当する。
　そして、引用発明の「「！！球詰まりエラー！！　球皿を確認してください。」といった文字列を表示」する「エラー表示２６０」は、本件補正発明の「複数種類の表示のうちの一の表示（「第一の表示」）」および「皿満タンエラー表示」に相当する。
　したがって、引用発明における構成ｆ１、ｆ２の「球詰まりエラーの場合、エラー表示２６０として、画面中央に「！！球詰まりエラー！！　球皿を確認してください。」といった文字列を表示可能であ」ることは、本件補正発明における構成Ｆ１の「複数の表示領域のうちの一の領域（「第一の表示領域」）は、複数種類の表示のうちの一の表示（「第一の表示」）を表示可能であ」ること、および、構成Ｆ２の「第一の表示は、皿満タンエラー表示であ」ることに相当する。
　　（ｇ１、ｇ２）
　引用発明の「画面中央」は、本件補正発明の「複数の表示領域のうちの一の領域（「第二の表示領域」）」にも相当する。
　そして、引用発明の「画面中央に「敵は○○○○○だ」といったセリフ予告演出を表示」する「予告表示２６２」は、本件補正発明の「複数種類の表示のうちの一の表示（「第二の表示」）」および「第一の予告表示」に相当する。
　したがって、引用発明における構成ｇ１、ｇ２の「予告表示２６２として、画面中央に「敵は○○○○○だ」といったセリフ予告演出を表示可能であ」ることは、本件補正発明における構成Ｇ１の「複数の表示領域のうちの一の領域は、複数種類の表示のうちの一の表示（「第二の表示」）を表示可能であ」ること、および、構成Ｇ２の「第二の表示は、第一の予告表示であ」ることに相当する。
　　（ｈ１、ｈ２）
　引用発明の「画面右下」は、本件補正発明の「複数の表示領域のうちの一の領域（「第三の表示領域」）」に相当する。
　そして、引用発明の「変動パターン」は、「当否抽選の結果に応じて」「変動時間別に」「選択され」ることから、「変動パターン」の「変動時間」により大当りとなる可能性を示唆し、予告するものであるといえる。
　そうすると、引用発明の「変動パターン」に基づく「変動演出パターン」によって「変動表示」する「装飾図柄１９０」は、本件補正発明の「複数種類の表示のうちの一の表示（「第三の表示」）」および「第二の予告表示」に相当する。
　したがって、引用発明における構成ｈ１、ｈ２の「画面中央に予告表示２６２として「敵は○○○○○だ」といったセリフ予告演出が表示されるとともに、装飾図柄１９０を画面右下に小さく変動表示可能であ」ることは、本件補正発明における構成Ｈ１の「複数の表示領域のうちの一の領域（「第三の表示領域」）は、複数種類の表示のうちの一の表示（「第三の表示」）を表示可能であ」ること、および、構成Ｈ２の「第三の表示は、第二の予告表示であ」ることに相当する。
　　（ｉ）
　上記（ｆ１、ｆ２）、（ｈ１、ｈ２）より、引用発明における構成ｉの「球詰まりエラーが発生した場合、画面中央に表示されるエラー表示２６０は、画面右下に小さく変動表示される装飾図柄１９０とは重なら」ないことは、本件補正発明における構成Ｉの「第一の表示領域は、第三の表示領域と重ならない領域であ」ることに相当する。
　　（ｊ）
　上記（ｆ１、ｆ２）、（ｇ１、ｇ２）より、引用発明における構成ｊの「セリフ予告演出が表示されていた場合に球詰まりエラーが発生した場合、画面中央に表示されるエラー表示２６０と予告表示２６２とは、予告表示２６２の一部がエラー表示２６０に覆われて隠れる形で表示され」ることは、本件補正発明における構成Ｊの「第一の表示領域の少なくとも一部の領域は、第二の表示領域の少なくとも一部の領域と重なる領域であ」ることに相当する。
　
　よって、上記（ａ）〜（ｍ）によれば、本件補正発明と引用発明は、
「Ａ　表示手段と、
　Ｂ　操作手段と、
　Ｃ　可動手段と、
を備えた遊技台であって、
　Ｄ　前記表示手段は、複数種類の表示を表示可能な手段であり、
　Ｅ　前記表示手段は、複数の表示領域を有する手段であり、
　Ｆ１　前記複数の表示領域のうちの一の領域（以下、「第一の表示領域」という。）は、前記複数種類の表示のうちの一の表示（以下、「第一の表示」という。）を表示可能であり、
　Ｇ１　前記複数の表示領域のうちの一の領域（以下、「第二の表示領域」という。）は、前記複数種類の表示のうちの一の表示（以下、「第二の表示」という。）を表示可能であり、
　Ｈ１　前記複数の表示領域のうちの一の領域（以下、「第三の表示領域」という。）は、前記複数種類の表示のうちの一の表示（以下、「第三の表示」という。）を表示可能であり、
　Ｆ２　前記第一の表示は、皿満タンエラー表示であり、
　Ｇ２　前記第二の表示は、第一の予告表示であり、
　Ｈ２　前記第三の表示は、第二の予告表示であり、
　Ｉ　前記第一の表示領域は、前記第三の表示領域と重ならない領域であり、
　Ｊ　前記第一の表示領域の少なくとも一部の領域は、前記第二の表示領域の少なくとも一部の領域と重なる領域である
　Ｍ　遊技台。」の点で一致し、次の点で相違する。
　
［相違点１］（構成Ｋ）
　第一の予告表示に関して、
　本件補正発明は、「操作手段への操作があった場合に表示開始可能な表示であ」るのに対して、
　引用発明は、「操作ボタン８２の操作入力の内容に応じて演出内容等に変化が加えられ」るが、「操作ボタン８２の操作入力の内容に応じて」、「セリフ予告演出」を開始可能であるか否か明らかでない点。
　
［相違点２］（構成Ｌ）
　可動手段に関して、
　本件補正発明は、「第一の表示の少なくとも一部にオーバーラップする位置に移動可能」であるのに対して、
　引用発明は、「遊技者による操作ボタン８２を介した操作入力に応じて動作」することが可能であるが、その動作範囲が、「第一の表示の少なくとも一部にオーバーラップする位置に移動可能」なものであるのか否か明らかでない点。
　
　（４）判断
　　　ア　相違点について
　　　（ア）相違点１（構成Ｋ）について
　遊技機の技術分野において、遊技の興趣を向上させるために、セリフ予告演出をボタン操作に基づいて開始させることは、本願の遡及日前に周知の技術事項である（例えば、特開２０１０−２５９４８１号公報の【０００７】、【００９５】〜【００９６】、【０１００】、【図１０】には、演出ボタン１１３の操作時、あるいは、自動ボタン１１４の操作時に「セリフ演出」を行うことが記載され、
　特開２０１３−７８５０９号公報の【０３２０】、【図４０】には、プッシュボタン５１６の操作が検出された場合、または、操作レバー６００の操作が検出された場合にキャラクタがセリフを喋る演出が実行されることが記載され、
　特開２０１３−１９８６１２号公報の【００７５】、【図７】には、演出ボタン９の操作の有無に応じて、人物のセリフを異なるセリフに展開させることが記載されている。以下「周知の技術事項」という。）。
　
　そして、引用発明においても、演出を通して遊技の興趣を向上させるという自明の課題を内在するものである。
　したがって、引用発明の「操作ボタン８２の操作入力の内容に応じて」「変化が加えられ」る「演出内容等」として、上記周知の技術事項の「セリフ予告演出」を採用して、「操作ボタン８２の操作入力の内容に応じて」「セリフ予告演出」を開始させ、上記相違点１に係る本件補正発明の構成とすることは当業者が容易になし得たものである。
　
　　　（イ）相違点２（構成Ｌ）について
　引用発明は、「予告演出パターンによっては、可動役物１４０を動作させ」ること（構成ｌ’）が可能である。
　また、引用発明は、「エラー信号を受け取った場合に不具合が発生した旨を、演出表示装置６０への画面表示、スピーカ１８からの音声出力、遊技効果ランプ９０の点灯のうち少なくともいずれかによりエラー報知として出力するエラー報知手段１３８を備え、エラー報知手段１３８がエラー報知を行うとき、演出表示装置６０の画面表示や音声出力、遊技効果ランプ９０の点灯を用いた演出が通常どおり行われているが、演出表示装置６０への画面表示、スピーカ１８からの音声出力、遊技効果ランプ９０の点灯のうち少なくともいずれかを用いた演出が実行されていたとしても、その演出に優先してエラー報知を行い、球詰まりエラーの場合、遊技者が上球皿１５または下球皿１６から遊技球を除去して所定量未満へ減らすまではエラーを解除できず、エラー表示２６０は、予告表示２６２より優先して表示される」ものである（構成ｌ’）から、「ぱちんこ遊技機１０」が、「エラー信号を受け取った場合」でも、「可動役物１４０」の動作を「通常どおり行」うことが可能なものである。
　したがって、引用発明は、「エラー信号を受け取った場合」でも、「予告演出パターンによっては、可動役物１４０」の動作を、「通常どおり行」うことが可能なものである。
　
　そして、引用発明において、「可動役物１４０」は、「遊技者による操作ボタン８２を介した操作入力に応じて動作」する（構成ｌ’）ものであるが、「可動役物１４０」のパチンコ遊技機における動作可能な範囲は不明である。
　ところで、遊技機の技術分野において、可動役物を退避位置から画面中央手前の動作位置まで移動可能な構成とすることは、本願の遡及日前に広く行われていた技術事項である（必要ならば、特開２０１０−１１０４１５号公報の【図１１】
　
【図１１】　
　
　
や、【００６３】〜【００６４】に、可動演出体２４、２６が、予告演出パターンに従って、退避位置Ｘから中央手前の演出位置Ｙへと下降することが示され、
　特開２０１２−１０５８９１号公報の【図２】
　　
　【図２】
　
や、【００１９】に、可動演出体８０が、上方待機位置と、中央手前の下方待機位置との間を上下方向に往復移動するように構成されることが示されている。以下「慣用手段」という。）。
　
　また、引用発明は、構成ｆ１、ｆ２より、「球詰まりエラーの場合、エラー表示２６０として、画面中央に「！！球詰まりエラー！！　球皿を確認してください。」といった文字列を表示可能」である。
　
　これらのことからみて、引用発明において、「エラー信号を受け取っ」て、「画面中央に「！！球詰まりエラー！！　球皿を確認してください。」といった文字列を表示」している場合であっても、「予告演出パターンによっては、可動役物１４０」の動作を、「通常どおり行」うことが可能である。
　そして、上記慣用手段を引用発明に適用することで、「可動役物１４０」を退避位置から画面中央手前の動作位置まで移動可能とすれば、「！！球詰まりエラー！！」の表示上に可動役物１４０がオーバーラップするのは当然であるので、上記相違点２に係る本件補正発明の構成とすることは当業者が容易になし得たものである。
　
　　　イ　効果について
　本件補正発明により奏される効果は、引用発明、上記周知の技術事項、および、上記慣用手段から当業者が予測し得た効果の範囲内のものであって、格別なものではない。
　
　　　ウ　小括
　よって、本件補正発明は、引用発明、上記周知の技術事項、および、上記慣用手段に基いて当業者が容易に発明をすることができたものであるから、特許法第２９条第２項の規定により、特許出願の際に独立して特許を受けることができないものである。
　
　（５）まとめ
　上記（１）〜（４）より、本件補正発明は、特許法第２９条第２項の規定により、特許出願の際に独立して特許を受けることができないものであるから、本件補正は、同法第１７条の２第６項において準用する同法第１２６条第７項に規定する要件を満たさないものであり、同法第１５９条第１項において読み替えて準用する同法第５３条第１項の規定により却下すべきものである。
　
第３　本願発明について
　１　本願発明
　本件補正は、上記のとおり却下されることとなったので、本願の請求項１に係る発明（以下「本願発明」という。）は、平成３１年１月２３日付け手続補正書の請求項１に記載された、次のとおりのものと認める。
「Ａ　表示手段と、
　Ｂ　操作手段と、
を備えた遊技台であって、
　Ｄ　前記表示手段は、複数種類の表示を表示可能な手段であり、
　Ｅ　前記表示手段は、複数の表示領域を有する手段であり、
　Ｆ１　前記複数の表示領域のうちの一の領域（以下、「第一の表示領域」という。）は、前記複数種類の表示のうちの一の表示（以下、「第一の表示」という。）を表示可能であり、
　Ｇ１　前記複数の表示領域のうちの一の領域（以下、「第二の表示領域」という。）は、前記複数種類の表示のうちの一の表示（以下、「第二の表示」という。）を表示可能であり、
　Ｈ１　前記複数の表示領域のうちの一の領域（以下、「第三の表示領域」という。）は、前記複数種類の表示のうちの一の表示（以下、「第三の表示」という。）を表示可能であり、
　Ｆ２　前記第一の表示は、皿満タンエラー表示であり、
　Ｇ２　前記第二の表示は、第一の予告表示であり、
　Ｈ２　前記第三の表示は、第二の予告表示であり、
　Ｉ　前記第一の表示領域は、前記第三の表示領域と重ならない領域であり、
　Ｊ　前記第一の表示領域の少なくとも一部の領域は、前記第二の表示領域の少なくとも一部の領域と重なる領域であり、
　Ｋ　前記第一の予告表示は、前記操作手段への操作があった場合に表示開始可能な表示である
　Ｍ　ことを特徴とする遊技台。」
　
　２　拒絶の理由（平成３０年１１月２２日付け）
　原査定の拒絶の理由は、次のとおりである。
１．（新規性）この出願の請求項１に係る発明は、その出願前に日本国内において、頒布された下記の引用文献１に記載された発明であるから、特許法第２９条第１項第３号に該当し、特許を受けることができない。
　
２．（進歩性）この出願の請求項１に係る発明は、その出願前に日本国内において、頒布された下記の引用文献１に記載された発明に基いて、その出願前にその発明の属する技術の分野における通常の知識を有する者が容易に発明をすることができたものであるから、特許法第２９条第２項の規定により特許を受けることができない。
　
　　引用文献１：特開２０１２−２０５７０３号公報
　
　３　引用文献に記載された事項
　原査定の拒絶の理由に引用された引用文献１である特開２０１２−２０５７０３号公報（前記「第２　２−２（２）」における「引用文献１」に対応する。）の記載事項及び引用発明の認定については、前記「第２　２−３（２）引用文献１」に記載したとおりである。
　
　４　対比・判断
　本願発明は、前記「第２［理由］」で検討した本件補正発明における「可動手段」および「前記可動手段は、前記第一の表示の少なくとも一部にオーバーラップする位置に移動可能な手段である」との発明特定事項を削除することで、その限定を省くものである。
　
　そうすると、本願発明と引用発明とは、前記相違点１において相違し、その余の点で一致する。
　そして、相違点１についての判断は、前記「第２　２−２（４）判断」において検討したように、引用発明に前記周知の技術事項を適用することにより、当業者が容易になし得たものである。
　
　５　むすび
　上記１〜４より、本願発明は、特許法第２９条第２項の規定に基づいて特許を受けることができないものである。
　したがって、他の請求項について検討するまでもなく、本願は拒絶すべきである。
　
　よって、結論のとおり審決する。